(57)【要約】      （修正有）【課題】女性用の弁当箱として、最適な量と機能を兼ね備えた紙コップ型弁当箱を提供する。【解決手段】底部３と周側部４で囲われた容器２の内部には、ご飯１０とお惣菜１１を交互に積層した複数層からなる食材１２が充填される。食材１２を充填してから二重リング枠９の間隙部分を容器２の上部開口５にはめ込んで蓋をする。このようにして作られた紙コップ型弁当箱は、持ち運びに便利なコンパクトな形状で、特に女性用の弁当箱としては、最適な量であり、食べ残すことなく、残飯処分に困ることはない。また、この紙コップ型弁当箱は、図２に示したように、ご飯１０とお惣菜１１からなる食材１２のカロリー量並びに栄養成分を記載した一覧表を蓋６或いは周側部４の何れか一方の外側に貼付したので、その日の身体の健康状態に合わせて弁当を購入することができる。【選択図】図１
0003126414.tif 000002
【実用新案登録請求の範囲】
【請求項１】
倒立円錐形状の有底筒状で、円形状の底部及びその底部の周囲より略垂直方向に立設する周側部からなる容器であって、前記容器の内部に、ご飯と惣菜を交互に積層した複数層からなる食材を充填し、前記容器の上部開口を蓋で覆い、携帯弁当箱としたことを特徴とする紙コップ型弁当箱。
【請求項２】
前記蓋或いは前記周側部の何れか一方の外側に、前記食材のカロリー量並びに栄養成分を記載した一覧表を貼付したことを特徴とする請求項１に記載の紙コップ型弁当箱。
【請求項３】
前記蓋の内側に鏡を組み込んだことを特徴とする請求項１に記載の紙コップ型弁当箱。
【請求項４】
前記蓋の内側に占いや運勢等を印刷した用紙を折り畳んで装着したことを特徴とする請求項１に記載の紙コップ型弁当箱。
【請求項５】
前記蓋の内側に前記容器の底部と嵌合するリング状の嵌合部を形成し、前記蓋をひっくり返して前記リング状の嵌合部に前記容器の底部を嵌め込んで転倒防止構造としたことを特徴とする請求項１に記載の紙コップ型弁当箱。
【請求項６】
前記周側部に、スティック状にした醤油、ソース、ドレッシング等の調味料及びフォーク兼用スプーンを配置できるような収納部を形成したことを特徴とする請求項１に記載の紙コップ型弁当箱。
【請求項７】
前記周側部に、凹凸状のボス加工を施して滑り止めと断熱性を持たせたことを特徴とする請求項１に記載の紙コップ型弁当箱。
【請求項８】
前記蓋及び／又は前記周側部を、透明の素材で形成したことを特徴とする請求項１に記載の紙コップ型弁当箱。
【考案の詳細な説明】
【技術分野】
【０００１】
本考案は、コンビニエンスストア等で販売される弁当の弁当箱に関し、特に女性用として最適な弁当の紙コップ型弁当箱に関する。
【背景技術】
【０００２】
従来から会社や学校などに持参する弁当箱は、御飯とおかずを収納するための容器であり、単なる箱状のものの他、仕切りが設けられたもの（特許文献１）、或いはおかず用の容器を弁当箱本体に収納できるようにしたもの（特許文献２）、さらにはおかず用の容器を弁当箱本体に重ねた２段構造のもの（特許文献３）が知られている。
【０００３】
また、最近では、家から持参するのではなく、お昼休みに、デパートの地下にある食品売り場とかコンビニエンスストア等のテイクアウト売り場で販売されている弁当を購入して公園等の戸外で食事をすることが多い。
【０００４】
その場合、特に女性用の弁当箱としては、持ち運びに便利なようにコンパクトな形状のものが要求され、しかも一見して弁当箱とは判らないようなデザインのものが要求されている。
【０００５】
【特許文献１】特開２００２−２７２５２３号公報
【特許文献２】実開平０６−８４９２２号公報
【特許文献３】特開２００２−３６０３２６号公報
【考案の開示】
【考案が解決しようとする課題】
【０００６】
しかし、従来の弁当箱においては、いかにも弁当箱だとひとめでわかり、しかも、大きさがかさばるため持ち運びに不便であった。特に女性用の弁当としては量が多いため食べるのに時間がかかったり、全部食べきれなかった場合、残飯を処分するのが困難であった。
【０００７】
また、テイクアウト売り場で販売されている弁当はカロリー量や栄養成分が表示されてないので、購入する際の障害となっていた。
【０００８】
さらに、戸外で食事をする場合、膝の上等の不安定な場所で食べなければならなかったり、箸とかスプーンが付け忘れられていた場合、テイクアウト売り場まで戻って貰いにいく必要があったり、手軽に利用できる調味料がなかったり、食べ終わった後で、その場でお化粧直しができず、近くのトイレへ行って鏡を見る必要がある等の問題点があった。
【０００９】
本考案の目的は、上記の問題点を解消し、女性用の弁当箱として、最適な量と機能を兼ね備えた紙コップ型弁当箱を提供することである。
【課題を解決するための手段】
【００１０】
上記目的を達成するため、請求項１記載の考案は、倒立円錐形状の有底筒状で、円形状の底部及びその底部の周囲より略垂直方向に立設する周側部からなる容器であって、容器の内部に、ご飯と惣菜を交互に積層した複数層からなる食材を充填し、容器の上部開口を蓋で覆い、携帯弁当箱としたことを特徴とするものである。
【００１１】
また、請求項２記載の考案は、請求項１に記載の考案であって、蓋或いは周側部の何れか一方の外側に、食材のカロリー量並びに栄養成分を記載した一覧表を貼付したことを特徴とするものである。
【００１２】
また、請求項３記載の考案は、請求項１に記載の考案であって、蓋の内側に鏡を組み込んだことを特徴とするものである。
【００１３】
また、請求項４記載の考案は、請求項１に記載の考案であって、蓋の内側に占いや運勢等を印刷した用紙を折り畳んで装着したことを特徴とするものである。
【００１４】
また、請求項５記載の考案は、請求項１に記載の考案であって、蓋の内側に容器の底部と嵌合するリング状の嵌合部を形成し、蓋をひっくり返してリング状の嵌合部に容器の底部を嵌め込んで転倒防止構造としたことを特徴とするものである。
【００１５】
また、請求項６記載の考案は、請求項１に記載の考案であって、周側部に、スティック状にした醤油、ソース、ドレッシング等の調味料及びフォーク兼用スプーンを配置できるような収納部を形成したことを特徴とするものである。
【００１６】
また、請求項７記載の考案は、請求項１に記載の考案であって、周側部に、凹凸状のボス加工を施して滑り止めと断熱性を持たせたことを特徴とするものである。
【００１７】
また、請求項８記載の考案は、請求項１に記載の考案であって、蓋及び／又は周側部を、透明の素材で形成したことを特徴とするものである。
【考案の効果】
【００１８】
請求項１記載の紙コップ型弁当箱によれば、倒立円錐形状の有底筒状で、円形状の底部及びその底部の周囲より略垂直方向に立設する周側部からなる容器の内部に、ご飯と惣菜を交互に積層した複数層からなる食材を充填し、容器の上部開口を蓋で覆い、携帯弁当箱としたので、持ち運びに便利なコンパクトな形状で、特に女性用の弁当箱としては、最適な量であり、食べ残すことなく、残飯処分に困ることはない。
【００１９】
また、請求項２記載の紙コップ型弁当箱によれば、蓋或いは周側部の何れか一方の外側に、食材のカロリー量並びに栄養成分を記載した一覧表を貼付したので、その日の身体の健康状態に合わせて購入することができる。
【００２０】
また、請求項３記載の紙コップ型弁当箱によれば、蓋の内側に鏡を組み込んだので、食べ終わった後で、手軽に顔、口もと等の汚れを確かめることができ、その場でお化粧直しをすることができる。
【００２１】
また、請求項４記載の紙コップ型弁当箱によれば、蓋の内側に占いや運勢等を印刷した用紙を折り畳んで装着したので、食べ終わった後で、占いや運勢等を読んで楽しむことができる。
【００２２】
また、請求項５記載の紙コップ型弁当箱によれば、蓋の内側に容器の底部と嵌合するリング状の嵌合部を形成し、蓋をひっくり返してリング状の嵌合部に容器の底部を嵌め込んで転倒を防止する構造としたので、不安定な膝の上でもひっくり返すことなく食べることができる。
【００２３】
また、請求項６記載の紙コップ型弁当箱によれば、周側部に、スティック状にした醤油、ソース、ドレッシング等の調味料及びフォーク兼用スプーンを配置できるような収納部を形成したので、手軽に利用できる調味料がない戸外でも食べることができる。また、箸とかスプーンが付け忘れられていた場合でも、テイクアウト売り場まで戻って貰いにいく必要はない。
【００２４】
また、請求項７記載の紙コップ型弁当箱によれば、周側部に、凹凸状のボス加工を施して滑り止めと断熱性を持たせたので、購入する際に暖めてもらっても、安定して持ち運ぶことができる。
【００２５】
また、請求項８記載の紙コップ型弁当箱によれば、蓋及び／又は周側部を、透明の素材で形成したので、購入する際に食材の中身が外から確認でき購入間違いがなくなる。
【考案を実施するための最良の形態】
【００２６】
本考案の実施の形態を、添付図面に示した本考案の実施例に基づいて以下に具体的に説明する。
【実施例】
【００２７】
図１は、本考案による紙コップ型弁当箱の一実施例を示した断面図である。図２は、本考案による紙コップ型弁当箱の蓋と周側部の実施例を示した上面図と側面図である。図３〜図５は、本考案による紙コップ型弁当箱の蓋の実施例を示した裏面図である。図６は、図５に示した蓋を容器の底部に嵌め込んだ実施例を示した斜視図である。図７〜図９は、本考案による紙コップ型弁当箱の他の実施例を示した斜視図である。
【００２８】
本考案による紙コップ型弁当箱１は、図１に示したように、倒立円錐形状の有底筒状で、円形状の底部３及びその底部３の周囲より略垂直方向に立設する周側部４からなる容器２と周側部４の上部開口５を覆った蓋６とで構成される。周側部４の上部開口５も円形状であり、その径は底部３の径よりも若干大きく設定されている。
【００２９】
蓋６は、容器２に被せるための蓋として、その内側は容器２の上部開口５の径よりも若干大きい径を有する外周側７と容器２の上部開口５の径よりも若干小さい径を有する内周側８からなる二重リング枠９を有する。この二重リング枠９を容器２の上部開口５に嵌め込んで蓋６を容器２に固定する。
【００３０】
底部３と周側部４で囲われた容器２の内部には、ご飯１０とお惣菜１１を交互に積層した複数層からなる食材１２が充填される。食材１２を充填してから二重リング枠９の間隙部分を容器２の上部開口５にはめ込んで蓋をする。このようにして作られた紙コップ型弁当箱は、持ち運びに便利なコンパクトな形状で、特に女性用の弁当箱としては、最適な量であり、食べ残すことなく、残飯処分に困ることはない。
【００３１】
また、この紙コップ型弁当箱は、図２に示したように、ご飯１０とお惣菜１１からなる食材１２のカロリー量並びに栄養成分を記載した一覧表１３を蓋６或いは周側部４の何れか一方の外側に貼付したので、その日の身体の健康状態に合わせて弁当を購入することができる。
【００３２】
さらに、この紙コップ型弁当箱を使い易くするために、蓋６に種々工夫を施した実施例を説明する。
【００３３】
図３に示した蓋は、内側に鏡を組み込ませたものである。即ち、蓋をひっくり返すと、内側中央に枠１４を形成し、その枠１４の中に鏡１５を組み込ませた。このようにすれば、食事をとった後で手軽に顔、口もと等の汚れを確かめることができ、口紅を塗りなおす等の簡単なお化粧直しをすることができる。
【００３４】
図４に示した蓋は、内側に占いや運勢等を印刷した用紙を折り畳んで装着させたものである。即ち、蓋をひっくり返すと、内側に装着用の爪１６を形成し、その爪１６に占いや運勢等を印刷した用紙１７を折り畳んで装着させた。このようにすれば、食事をとった後で、占いや運勢等を読んで楽しむことができる。
【００３５】
図５に示した蓋は、不安定な膝の上に載せてもひっくり返ることがないようにしたものである。即ち、蓋の内側に、容器２の底部３と嵌合する二重リング枠の嵌合部１８を形成し、弁当を食べるときは、図６に示したように、蓋をひっくり返して、二重リング枠の嵌合部１８に容器２の底部３を嵌め込み、転倒を防止する構造としたので、不安定な膝の上でもひっくり返ることはない。
【００３６】
本考案による紙コップ型弁当箱の他の実施例を図７〜図９を用いて説明する。
【００３７】
図７は、紙コップ型弁当箱の周側部４に、スティック状にした醤油、ソース、ドレッシング等の調味料１９及びフォーク兼用スプーン２０を配置できるような収納部２１を形成したものである。このようにすれば、調味料がない戸外でも手軽に食べることができる。また、箸とかスプーンが付け忘れられていた場合でも、テイクアウト売り場まで戻って貰いにいく必要はない。
【００３８】
図８は、紙コップ型弁当箱の周側部４に、凹凸状のボス加工２０を施して滑り止めと断熱性を持たせたものである。このようにすれば、購入する際に暖めてもらっても、安定して持ち運ぶことができる。
【００３９】
図９は、紙コップ型弁当箱の蓋６及び／又は周側部４を、透明の素材で形成したものである。このようにすれば、購入する際にご飯１０とお惣菜１１からなる食材１２の中身が外から確認でき購入間違いがなくなる。
【図面の簡単な説明】
【００４０】
【図１】本考案による紙コップ型弁当箱の一実施例を示した断面図である。
【図２】本考案による紙コップ型弁当箱の蓋と周側部の実施例を示した上面図と側面図である。
【図３】本考案による紙コップ型弁当箱の蓋の実施例を示した裏面図である。
【図４】本考案による紙コップ型弁当箱の蓋の他の実施例を示した裏面図である。
【図５】本考案による紙コップ型弁当箱の蓋の他の実施例を示した裏面図である。
【図６】図５に示した蓋を容器の底部に嵌め込んだ実施例を示した斜視図である。
【図７】本考案による紙コップ型弁当箱の他の実施例を示した斜視図である。
【図８】本考案による紙コップ型弁当箱の他の実施例を示した斜視図である。
【図９】本考案による紙コップ型弁当箱の他の実施例を示した斜視図である。
【符号の説明】
【００４１】
１  紙コップ型弁当箱
２  容器
３  底部
４  周側部
５  上部開口
６  蓋
１２  食材
１３  一覧表
１５  鏡
１７  占いや運勢等を印刷した用紙
１８  リング状の嵌合部
１９  調味料
２０  フォーク兼用スプーン
２１  収納部
２２  ボス加工
【図１】
0003126414.tif 000003
【図２】
0003126414.tif 000004
【図３】
0003126414.tif 000005
【図４】
0003126414.tif 000006
【図５】
0003126414.tif 000007
【図６】
0003126414.tif 000008
【図７】
0003126414.tif 000009
【図８】
0003126414.tif 000010
【図９】
0003126414.tif 000011